(57)【要約】【課題】本発明は、降り口の近傍領域が混雑している場合に、ステップ上の利用者を円滑に降車させることができるとともに、利用者の輸送量をより的確に調整することができる。【解決手段】制御装置本体２は、降り口の近傍領域Ｂが混雑していることを確認すると、乗り口の近傍領域Ａ、及び搬送領域Ｃの一方又は両方が混雑しているか否かを確認する。このときに、制御装置本体２は、乗り口の近傍領域Ａ、及び搬送領域Ｃの一方が混雑していることを確認した場合、ステップの走行速度を第１徐行速度に設定する。また、制御装置本体２は、乗り口の近傍領域Ａ、及び搬送領域Ｃの両方が混雑していることを確認した場合、ステップの走行速度を第２徐行速度に設定する。【選択図】図１
2009280356.tif 000002
【特許請求の範囲】
【請求項１】
乗客コンベアの乗り口の近傍領域、前記乗客コンベアの降り口の近傍領域、及び前記乗り口と前記降り口との間の搬送領域で利用者の混雑状況をそれぞれ監視する混雑状況監視部と、
前記ステップの走行を制御するとともに、前記乗り口の近傍領域、前記降り口の近傍領域、及び前記搬送領域のそれぞれの混雑状況の情報を前記混雑状況監視部から受ける走行制御部と
を備え、
前記走行制御部は、前記混雑状況の情報に基づいて、前記降り口の近傍領域が混雑していることを確認した場合に、
前記乗り口の近傍領域、及び前記搬送領域のいずれか一方が混雑していることを確認すると、前記ステップの走行速度を通常走行速度よりも遅い第１徐行速度に設定し、
前記乗り口の近傍領域、及び前記搬送領域の両方が混雑していることを確認すると、前記ステップの走行速度を前記第１徐行速度よりも遅い第２徐行速度に設定する
ことを特徴とする乗客コンベアの制御装置。
【請求項２】
前記走行制御部が前記降り口の近傍領域が混雑していることを確認したことに応じて、前記降り口の近傍領域に設けられた音声出力手段を通じて、前記降り口の近傍領域の利用者に対し、前記降り口の近傍領域の混雑解消を促すためのアナウンスを出力するアナウンス制御部
をさらに備えることを特徴とする請求項１記載の乗客コンベアの制御装置。
【請求項３】
前記混雑状況監視部は、前記ステップに駆動力を加える駆動機の負荷を監視し、その駆動機の負荷を用いて、前記搬送領域の混雑状況を監視する
ことを特徴とする請求項１又は請求項２に記載の乗客コンベアの制御装置。
【請求項４】
前記混雑状況監視部は、前記乗り口に繋がっている管理区画の境界部で利用者の通行を管理する通行管理装置と通信可能になっており、前記通行管理装置から受けた通行管理情報を用いて、前記乗り口の近傍領域の混雑状況を監視する
ことを特徴とする請求項１から請求項３までのいずれか１項に記載の乗客コンベアの制御装置。
【発明の詳細な説明】
【技術分野】
【０００１】
この発明は、乗降口における利用者の混雑状況に応じて、ステップの走行速度を制御する乗客コンベアの制御装置に関する。
【背景技術】
【０００２】
例えば、駅のホームやショッピングセンター等に設置されたエスカレータにおいて、降り口の近傍領域に利用者の滞留が生じて、降り口の近傍領域が混雑している場合には、ステップ上の利用者が円滑に降車することが困難になっていた。これに加えて、降り口の近傍領域が混雑している場合には、その降り口にステップ上の利用者が順次到着するため、その降り口の近傍領域の利用者の混雑度がさらに高まってしまい、悪循環が発生していた。
【０００３】
これに対して、例えば、特許文献１，２に示すような従来の乗客コンベアでは、降り口の近傍領域が混雑している場合に、ステップの走行速度を通常時よりも低下させている。これによって、利用者の輸送量を通常運転時よりも低下させ、降り口への単位時間あたりの利用者の到着人数を制限している。
【０００４】
【特許文献１】特開２００７−５５７２７号公報
【特許文献２】特開２００４−２４４１８３号公報
【発明の開示】
【発明が解決しようとする課題】
【０００５】
しかしながら、降り口の近傍領域で利用者の滞留が生じていても、その滞留が除々に分散されているような状況で、かつステップ上の利用者数が比較的少ないような状況であれば、降り口の近傍領域の滞留によってステップ上の利用者の降車が妨げられず、必ずしもステップの速度を低下させる必要はない。これに対して、上記のような従来の乗客コンベアでは、降り口又は乗り口の近傍領域の混雑状況のみを基準にステップの走行速度を低下させている。このため、降り口の近傍領域で利用者の滞留が生じていても、ステップ上の利用者数が比較的少ない場合には、無駄に利用者の輸送量を低下させてしまうということになり、的確に利用者の輸送量を調整することはできなかった。
【０００６】
この発明は、上記のような課題を解決するためになされたものであり、降り口の近傍領域が混雑している場合に、ステップ上の利用者を円滑に降車させることができるとともに、利用者の輸送量をより的確に調整することができる乗客コンベアの制御装置を得ることを目的とする。
【課題を解決するための手段】
【０００７】
この発明に係る乗客コンベアの制御装置は、乗客コンベアの乗り口の近傍領域、乗客コンベアの降り口の近傍領域、及び乗り口と降り口との間の搬送領域で利用者の混雑状況をそれぞれ監視する混雑状況監視部と、ステップの走行を制御するとともに、乗り口の近傍領域、降り口の近傍領域、及び搬送領域のそれぞれの混雑状況の情報を混雑状況監視部から受ける走行制御部とを備え、走行制御部は、混雑状況の情報に基づいて、降り口の近傍領域が混雑していることを確認した場合に、乗り口の近傍領域、及び搬送領域のいずれか一方が混雑していることを確認すると、ステップの走行速度を通常走行速度よりも遅い第１徐行速度に設定し、乗り口の近傍領域、及び搬送領域の両方が混雑していることを確認すると、ステップの走行速度を第１徐行速度よりも遅い第２徐行速度に設定するものである。
【発明の効果】
【０００８】
この発明の乗客コンベアの制御装置によれば、走行制御部が、降り口の近傍領域が混雑していることを確認した場合に、乗り口の近傍領域、及び搬送領域のいずれか一方が混雑していることを確認すると、ステップの走行速度を通常走行速度よりも遅い第１徐行速度に設定し、乗り口の近傍領域、及び搬送領域の両方が混雑していることを確認すると、ステップの走行速度を第１徐行速度よりも遅い第２徐行速度に設定するので、降り口の近傍領域が混雑している場合に、ステップ上の利用者を円滑に降車させることができるとともに、利用者の輸送量をより的確に調整することができる。
【発明を実施するための最良の形態】
【０００９】
以下、この発明を実施するための最良の形態について、図面を参照して説明する。
実施の形態１．
図１は、この発明の実施の形態１によるエスカレータの構造を模式的に示す構成図である。
図１において、建物の上階床と下階床との間には、乗客コンベアとしてのエスカレータ１が設置されている。エスカレータ１は、制御装置本体２と、駆動機（モータ）３と、無端状に連結された複数のステップ（図示せず）とを有している。
【００１０】
エスカレータ１の下階側水平部には、乗り口（又は降り口）が設けられている。エスカレータ１の上階側水平部には、降り口（乗り口）が設けられている。複数のステップは、駆動機３の駆動力によって、乗り口と降り口との間で循環移動される。駆動機３の駆動は、制御装置本体２によって制御される。
【００１１】
ここで、建物の天井部における乗り口の上方には、第１カメラ１１及び第１スピーカ２１が設けられている。また、建物の天井部における降り口の上方には、第２カメラ１２及び第２スピーカ２２が設けられている。また、建物の天井部におけるエスカレータ１の傾斜部の上方には、第３カメラ１３及び第３スピーカ２３が設けられている。
【００１２】
第１〜第３カメラ１１〜１３及び第１〜第３スピーカ（音声出力手段）２１〜２３は、制御装置本体２に電気的に接続されている。第１カメラ１１は、乗り口の近傍領域Ａを撮影し、映像信号を生成する。第２カメラ１２は、降り口の近傍領域Ｂを撮影し、映像信号を生成する。第３カメラ１３は、乗り口と降り口との間の搬送領域Ｃを撮影し、映像信号を生成する。第１〜第３スピーカ２１〜２３は、制御装置本体２からの音声信号に基づくアナウンスを、乗り口の近傍領域Ａ、降り口の近傍領域Ｂ、及び搬送領域Ｃへ向けてそれぞれ出力する。
【００１３】
次に、制御装置本体２の構成について具体的に説明する。図２は、図１の制御装置本体２の構成を具体的に示すブロック図である。図２において、制御装置本体２は、走行制御部２ａ、混雑状況監視部２ｂ及びアナウンス制御部２ｃを有している。走行制御部２ａは、駆動機３の駆動を制御し、ステップの走行を制御する。また、走行制御部２ａは、通常走行速度、第１徐行速度、及び第２徐行速度を、ステップの走行速度として予め記憶している。
【００１４】
ここで、通常走行速度は、例えば分速４０ｍ程度の速度である。第１徐行速度は、通常走行速度よりも遅い速度であり、通常走行速度の例えば１／２程度（分速２０ｍ）の速度である。第２徐行速度は、第１徐行速度よりも遅い速度であり、通常走行速度の例えば１／４程度（分速１０ｍ）の速度である。
【００１５】
第１〜３カメラ１１〜１３の映像信号は、それぞれ制御装置本体２の混雑状況監視部２ｂに送られる。混雑状況監視部２ｂは、第１〜３カメラ１１〜１３のそれぞれから受けた映像信号に対して画像解析処理を実行し、その解析内容に基づいて、乗り口の近傍領域Ａ、降り口の近傍領域Ｂ、及び搬送領域Ｃのそれぞれの混雑状況を監視する。具体的に、混雑状況監視部２ｂは、第１〜３カメラ１１〜１３からの映像信号に含まれる利用者の身体を識別して、撮影範囲のうち利用者の身体が占める割合を算出する。
【００１６】
そして、混雑状況監視部２ｂは、第１〜３カメラ１１〜１３の映像信号の撮影範囲（ステップの踏面に対応する撮影範囲）のうち、利用者の身体の占める割合が例えば７０％を超えていれば、第１〜３カメラ１１〜１３に対応する領域Ａ〜Ｃが混雑していると判断する。また、混雑状況監視部２ｂは、混雑している領域Ａ〜Ｃを示す情報を走行制御部２ａに送る。
【００１７】
アナウンス制御部２ｃは、走行制御部２ａからの指令に応じて、第１〜第３スピーカ２１〜２３に個別に音声信号を送る。即ち、アナウンス制御部２ｃは、第１〜第３スピーカ２１〜２３のそれぞれを通じて、乗り口の近傍領域Ａ、降り口の近傍領域Ｂ、及び搬送領域Ｃへアナウンスを出力する。
【００１８】
具体的に、アナウンス制御部２ｃは、乗り口の近傍領域Ａ及び搬送領域Ｃへ向けて、混雑注意用アナウンス、又は速度低下用アナウンスを出力する。混雑注意用アナウンスとは、乗り口の近傍領域Ａ、又は搬送領域Ｃの利用者に対して、降り口が混雑していることを知らせるためのアナウンスである。この混雑注意用アナウンスの一例は、「降り口が混雑しています。ご注意下さい。」等である。また、速度低下用アナウンスとは、乗り口の近傍領域Ａ、又は搬送領域Ｃの利用者に対して、ステップの走行速度が低下することを知らせるためのアナウンスである。速度低下用アナウンスの一例は、「只今より、徐行運転を開始します。ご注意下さい。」等である。
【００１９】
一方、アナウンス制御部２ｃは、降り口の近傍領域Ｂへ向けて、混雑緩和用アナウンスを出力する。混雑緩和用アナウンスとは、降り口の近傍領域Ｂの利用者に対して、降り口の近傍領域Ｂの混雑解消を促すためのアナウンスである。また、混雑緩和用アナウンスの一例は、「他のお客様が順次到着します。降り口の付近で立ち止まらず、奥へお進み下さい。」等である。
【００２０】
ここで、制御装置本体２は、演算処理部（ＣＰＵ）、記憶部（ＲＯＭ、ＲＡＭ及びハードディスク等）及び信号入出力部を持ったコンピュータ（図示せず）により構成することができる。制御装置本体２のコンピュータの記憶部には、走行制御部２ａ、混雑状況監視部２ｂ及びアナウンス制御部２ｃの機能を実現するためのプログラムが格納されている。
【００２１】
次に、動作について説明する。図３は、図２の制御装置本体２の動作を示すフローチャートである。図３において、まず、制御装置本体２は、降り口の近傍領域Ｂが混雑しているか否かを確認し、降り口の近傍領域Ｂが混雑したことを確認（検出）するまで、通常走行速度でのステップの走行を維持する（ステップＳ２）。
【００２２】
そして、制御装置本体２は、降り口の近傍領域Ｂが混雑していることを確認すると、第２スピーカ２２を通じて、混雑緩和用アナウンスを降り口の近傍領域Ｂへ向けて出力する（ステップＳ３）。これとともに、制御装置本体２は、第１及び第３スピーカ２１，２３を通じて、混雑注意用アナウンスを乗り口の近傍領域Ａ、及び搬送領域Ｃへ向けて出力する。ここで、制御装置本体２は、降り口の近傍領域Ｂの混雑が解消したことを確認すると、混雑緩和用アナウンス及び混雑注意用アナウンスの出力を停止する。
【００２３】
また、制御装置本体２は、降り口の近傍領域Ｂが混雑していることを確認すると、乗り口の近傍領域Ａ、及び搬送領域Ｃの一方又は両方が混雑しているか否かを確認する（ステップＳ５，６）。このときに、制御装置本体２は、乗り口の近傍領域Ａ、及び搬送領域Ｃのいずれも混雑していないことを確認した場合、通常走行速度でのステップの走行を維持する（ステップＳ２）。
【００２４】
一方、制御装置本体２は、乗り口の近傍領域Ａ、及び搬送領域Ｃの一方が混雑していることを確認した場合、ステップの走行速度を第１徐行速度に設定するとともに、第１及び第３スピーカ２１，２３を通じて、速度低下用アナウンスを乗り口の近傍領域Ａ、及び搬送領域Ｃへ向けて出力する（ステップＳ７，９）。他方、制御装置本体２は、乗り口の近傍領域Ａ、及び搬送領域Ｃの両方が混雑していることを確認した場合、ステップの走行速度を第２徐行速度に設定するとともに、第１及び第３スピーカ２１，２３を通じて、速度低下用アナウンスを乗り口の近傍領域Ａ、及び搬送領域Ｃへ向けて出力する（ステップＳ８，９）。
【００２５】
この後、制御装置本体２は、降り口の近傍領域Ｂの混雑が解消したことを確認するまで待機する（ステップＳ１０）。そして、制御装置本体２は、降り口の近傍領域Ｂの混雑が解消したことを確認すると、ステップの走行速度を通常走行速度に設定し（ステップＳ１１）、降り口の近傍領域Ｂが混雑したことを確認（検出）するまで、通常走行速度でのステップの走行を維持し、同様の動作を繰り返す。
【００２６】
上記のような乗客コンベアの制御装置では、制御装置本体２が、降り口の近傍領域Ｂが混雑していることを確認した場合に、乗り口の近傍領域Ａ、及び搬送領域Ｃのいずれも混雑していないことを確認すると、ステップの走行速度を通常走行速度のまま維持する。また、制御装置本体２が、降り口の近傍領域Ｂが混雑していることを確認した場合に、乗り口の近傍領域Ａ、及び搬送領域Ｃのいずれか一方が混雑していることを確認すると、ステップの走行速度を通常走行速度よりも遅い第１徐行速度に設定する。さらに、制御装置本体２が、降り口の近傍領域Ｂが混雑していることを確認した場合に、乗り口の近傍領域Ａ、及び搬送領域Ｃの両方が混雑していることを確認すると、ステップの走行速度を第１徐行速度よりも遅い第２徐行速度に設定する。つまり、制御装置本体２が、降り口の近傍領域Ｂが混雑していることを確認した場合に、降り口の近傍領域Ｂ、及び搬送領域Ｃの混雑状況に応じて、ステップの走行速度を変更する。この構成により、降り口の近傍領域Ｂが混雑している場合に、ステップ上の利用者を円滑に降車させることができるとともに、利用者の輸送量をより的確に調整することができる。
【００２７】
また、制御装置本体２が、降り口の近傍領域Ｂが混雑していることを確認した場合に、第２スピーカ２２を通じて、混雑緩和用アナウンスを降り口の近傍領域Ｂへ向けて出力する。この構成により、降り口の近傍領域Ｂで滞留する利用者を分散させて、降り口の近傍領域Ｂの混雑を解消させることによって、通常速度でのステップの走行を維持することができ、利用者の輸送量の低下を最小限に抑えることができる。
【００２８】
実施の形態２．
実施の形態１では、混雑状況監視部２ｂが、第１カメラ１１からの映像信号を用いて、乗り口の近傍領域Ａの混雑状況を監視した。これに対して、実施の形態２では、混雑状況監視部２ｂが、例えば駅の自動改札機等の通行管理装置（ゲート装置）から受けた通行管理情報を用いて、乗り口の近傍領域Ａの混雑状況を監視する。
【００２９】
図４は、この発明の実施の形態２によるエスカレータの構造を模式的に示す構成図である。図５は、図４の制御装置本体の構成を具体的に示すブロック図である。図４，５において、建物における管理区画の境界部には、通行管理装置３０が設けられている。なお、通行管理装置３０の管理対象である管理区画の境界部と、エスカレータ１の乗り口との間には、利用者の移動路（図示せず）が設けられている。つまり、通行管理装置３０の管理対象である管理区画の境界部は、エスカレータ１の乗り口に繋がっている。
【００３０】
通行管理装置３０は、管理区画内及び管理区画外の一方から他方への利用者の通行（矢示Ｄの一方又は他方への通行の許可・拒否）を管理し、建物における管理区画の境界部を通過する利用者数を監視する。また、通行管理装置３０は、制御装置本体２と通信可能になっており、制御装置本体２の混雑状況監視部２ｂに通行管理情報を送る。
【００３１】
混雑状況監視部２ｂは、通行管理装置３０から受けた通行管理情報を用いて、乗り口の近傍領域Ａの混雑状況を監視する。具体的に、混雑状況監視部２ｂは、通行管理情報に含まれる単位時間あたりの利用者数を取得し、その利用者数が所定値を超えたことを確認することによって、乗り口の近傍領域Ａが混雑していると判断する。他の構成及び動作は、実施の形態１と同様である。
【００３２】
上記のようなエスカレータの制御装置では、混雑状況監視部２ｂが、通行管理装置３０から受けた通行管理情報に基づいて、乗り口の近傍領域Ａの混雑状況を監視する場合であっても、実施の形態１と同様の効果を得ることができる。また、実施の形態１における第１カメラ１１が不要となることにより、設置コストを低減させることができる。
【００３３】
なお、実施の形態１，２では、エスカレータの制御装置について説明したが、この発明は、動く歩道の制御装置にも適用できる。
【００３４】
また、実施の形態１，２では、混雑状況監視部２ｂが、第３カメラ１３からの映像信号を用いて、搬送領域Ｃの混雑状況を監視した。しかしながら、この例に限るものではなく、混雑状況監視部２ｂが駆動機３の負荷を用いて、搬送領域Ｃの混雑状況を監視してもよい。具体的に、混雑状況監視部２ｂが駆動機３の負荷を測定し、その駆動機３の負荷が、予め設定された閾値を超えたことに応じて、搬送領域Ｃが混雑していると判断してもよい。この場合、図１における第３カメラ１３が不要となるので、設置コストを低減させることができる。
【００３５】
さらに、ステップが２人乗り仕様のエスカレータにおいて、混雑状況監視部２ｂが、第３カメラ１３によるステップの踏面の撮影範囲のうち、一対の欄干のいずれか一方側半分の領域のみの画像解析を行うことによって、搬送領域Ｃの混雑状況を監視してもよい。この場合、（地域的な慣行による）ステップの乗車位置の偏りに対応して、搬送領域Ｃの混雑状況を監視可能となり、ステップ上を移動する利用者に関する混雑状況のみを重点的に監視することができる。
【図面の簡単な説明】
【００３６】
【図１】この発明の実施の形態１によるエスカレータの構造を模式的に示す構成図である。
【図２】図１の制御装置本体の構成を具体的に示すブロック図である。
【図３】図２の制御装置本体の動作を示すフローチャートである。
【図４】この発明の実施の形態２によるエスカレータの構造を模式的に示す構成図である。
【図５】図４の制御装置本体の構成を具体的に示すブロック図である。
【符号の説明】
【００３７】
１  エスカレータ（乗客コンベア）、２ａ  走行制御部、２ｂ  混雑状況監視部、２ｃ  アナウンス制御部、３  駆動機、２１〜２３  第１〜第３スピーカ（音声出力手段）、３０  通行管理装置、Ａ  乗り口の近傍領域、Ｂ  降り口の近傍領域、Ｃ  搬送領域。
【図１】
2009280356.tif 000003
【図２】
2009280356.tif 000004
【図３】
2009280356.tif 000005
【図４】
2009280356.tif 000006
【図５】
2009280356.tif 000007